(57)【特許請求の範囲】
【請求項１】
洋風便器の上面に設置される便座ボックスにおいて、該便座ボックスの底面に、便座ボックス付属機器が自在に出し入れされる開口又は凹部を設けた便座ボックスであって、
該開口又は凹部は該便座ボックス底面のうち洋風便器上面と対面する位置に設けられていることを特徴とする便座ボックス。
【請求項２】
請求項１において、該開口又は凹部に蓋が設けられていることを特徴とする便座ボックス。
【請求項３】
請求項１又は２において、該便座ボックス付属機器は脱臭カートリッジ、芳香剤又は乾電池であることを特徴とする便座ボックス。
【請求項４】
請求項１ないし３のいずれか１項において、該座ボックス付属機器が該開口又は凹部内に差し込まれて係止されていることを特徴とする便座ボックス。
【発明の詳細な説明】
【０００１】
【発明の属する技術分野】
本発明は洋風便器の上面に設置される便座ボックスに係り、特に脱臭カートリッジ等の付属機器の装着位置を改良した便座ボックスに関する。
【０００２】
【従来の技術】
脱臭カートリッジ等の付属機器を便座ボックスに取り付ける場合、便座ボックスの側面又は前面から該脱臭カートリッジを着脱するように該便座ボックスの側面や前面に装着部を設けることが多い（例えば特開平１０−１５２８７８号公報）。
【０００３】
脱臭カートリッジ等の付属機器を脱臭カートリッジの側面や前面に装着する場合、該側面や前面に蓋付きの開口を設けたり、脱臭カートリッジの端面それ自体を便座ボックスの外面と面一状に露出するように配置する。
【０００４】
【発明が解決しようとする課題】
上記の従来の付属機器装着構造を有した便座ボックスにあっては、蓋や脱臭カートリッジの端面などが便座ボックスの外面に露出するため、蓋や該端面の縁部が目立ち、見栄えが悪い。また、この縁部に汚れが入り込み、清掃しても十分には綺麗にならないことがある。さらに、デパート、ホテルなどの公共的なトイレルームの洋風便器に設置された便座ボックスの場合、脱臭カートリッジ等が便座ボックスの外面に露出していると、破壊あるいは盗難等の悪戯を受けることもある。
【０００５】
本発明は、このような短所を克服し、見栄えが良く、汚れが付きにくく、しかも悪戯を受けることもない付属機器装着用の開口又は凹部を備えた便座ボックスを提供することを目的とする。
【０００６】
【課題を解決するための手段】
本発明（請求項１）の便座ボックスは、洋風便器の上面に設置される便座ボックスにおいて、該便座ボックスの底面に、便座ボックス付属機器が自在に出し入れされる開口又は凹部を設けた便座ボックスであって、該開口又は凹部は該便座ボックス底面のうち洋風便器上面と対面する位置に設けられていることを特徴とするものである。
【０００７】
かかる本発明の便座ボックスは、付属機器装着のための開口又は凹部を底面に配置したので、該開口又は凹部がトイレルーム使用者に丸見えになることがなく、見栄えが良好であると共に、該開口又は凹部の汚れも見えず、清掃が楽になる。また、付属機器の盗難などの悪戯も無くなる。
【０００８】
この開口や凹部には蓋が設けられていても良い。
【０００９】
本発明では、この付属機器装着用の開口又は凹部を洋風便器の上面と対面する位置に設けているので、付属機器の悪戯を完全に防止できる。
【００１０】
本発明は、便座ボックスが洋風便器に対し比較的容易に着脱できる場合に適用するのに好適である。
【００１１】
【発明の実施の形態】
以下に図面を参照して本発明の実施の形態について説明する。図１は本発明の実施の形態に係る便座ボックスを洋風便器に取り付ける状態を示す斜視図、図２はこの便座ボックスを洋風便器に取り付けた状態を示す斜視図、図３はこの便座ボックス及びその取付用のボルトを示す斜視図、図４は脱臭カートリッジの斜視図、図５はこの便座ボックスの要部縦断面図である。
【００１２】
便座ボックス１は、洋風便器２の上面に本体取付ボルト５を介して着脱自在に装着されるものであり、この便座ボックス１に便座３と便蓋４とが上下方向に回動自在に取り付けられている。本体取付ボルト５は、図３の通り、平パッキン７、半球パッキン８、スリップワッシャ９及びナット１０によって洋風便器の後部上面に固定設置される。便座ボックス１の底面には、この本体取付ボルト５の上端部が挿入される穴６が設けられている。
【００１３】
便座ボックス１の一方の側面には、電源コード１１、操作スイッチ１２及び温度調節スイッチ１３が設けられている。便座ボックス１の他方の側面には、脱臭カートリッジ１６を通過して脱臭処理された空気を排出するための排気口１７が設けられている。便座ボックス１の底面には、脱臭カートリッジ１６が装着された開口１９が設けられている。
【００１４】
脱臭カートリッジ１６は、直方体形状のケーシング１６ａ内に活性炭等の脱臭エレメント１６ｄを収容したものである。カートリッジ１６ａの一方の側面には空気の導入口１６ｂが設けられ、他方の側面には空気の排出口１６ｃが設けられている。また、脱臭カートリッジ１６の底面には、指先を差し込んで該脱臭カートリッジ１６をつまむための凹部１６ｅが設けられている。ケーシング１６ａの両側面には、この脱臭カートリッジ１６を開口１９に差し込んで軽く係止させるための凸部１６ｆが設けられている。
【００１５】
脱臭カートリッジ１６の空気導入口１６ｂが臨む空気通路２０は、便座ボックス１の前縁側に設けられた開口（図示略）を介して洋風便器２の便鉢２ａ内に連通している。便座ボックス１内には、排気口１７に対面するようにして脱臭ファン２１が設けられている。この脱臭ファン２１は、例えば便座３に人体が着座すると回転し、便鉢２ａ内の空気を脱臭カートリッジ１６を介して排気口１７から排出する。
【００１６】
このように構成された便座ボックス１を穴６と本体取付ボルト５との係合により洋風便器２の上面に設置すると、脱臭カートリッジ１６が外部からは全く見えないものとなり、見栄えが良好である。また、脱臭カートリッジ１６が便座ボックス１の側面や上面に露出していないので、脱臭カートリッジ１６の縁部に汚れが溜まることが無く、清掃が容易である。更に、公共の場に設置された洋風便器であっても、脱臭カートリッジ１６が悪戯によって破壊されたり持ち去られたりすることが防止される。
【００１７】
図６は本発明の別の実施の形態に係る便座ボックス１Ａの側面部の下部の構成を示す縦断面図である。
【００１８】
この実施の形態にあっては、便座ボックス１Ａの側面と底面とのコーナー部において、底面から凹陥する凹部２２が設けられている。この凹部２２内に入り込むように芳香剤カートリッジ２４が洋風便器２の上に載置されている。便座ボックス１Ａには芳香剤カートリッジ２４からの芳香をトイレルーム内に導き出すためのスリット状の開口２３が設けられている。
【００１９】
この実施の形態にあっても、芳香剤カートリッジ２４が外部から見えることはなく見栄えが良いと共に、清掃が容易であり、しかも、芳香剤カートリッジ２４が破壊されたり持ち去られたりすることが無い。
【００２０】
図７は、本発明の更に別の実施の形態に係る便座ボックス１Ｂの側面の下部の縦断面図である。この便座ボックス１Ｂの底面には、乾電池２６を収容するための凹部２５が設けられている。この凹部２５を覆うように開閉自在な蓋２７が便座ボックス１Ｂの底面に設けられている。凹部２５内には、乾電池２６が接触する電極２８，２９が設けられている。
【００２１】
この実施の形態に係る便座ボックス１Ｂにあっても、乾電池２６の収容部分が外部から見えず、見栄えが良いと共に、清掃が容易であり、しかも、乾電池２６や蓋２７が破壊されたり持ち去られたりすることが無い。
【００２２】
この蓋は、回動自在なものであっても良く、取り外し式のものであっても良い。更に、この蓋はスライド式のものであっても良い。
【００２３】
【発明の効果】
以上の通り、本発明によると、脱臭カートリッジ、芳香剤カートリッジ、乾電池等の便座ボックス付属品の設置用の凹部又は開口を便座ボックスの底面に配置しており、便座ボックスの見栄えが良く、便座ボックスの清掃が容易であると共に、カートリッジ、乾電池等の持ち去りなどの悪戯、破壊等を受けることが防止される。
【図面の簡単な説明】
【図１】実施の形態に係る便座ボックスを洋風便器に取り付ける状態を示す斜視図である。
【図２】図１の便座ボックスを洋風便器に取り付けた状態を示す斜視図である。
【図３】図１の便座ボックスの斜視図である。
【図４】脱臭カートリッジの斜視図である。
【図５】脱臭カートリッジを装着した便座ボックスの側面下部の縦断面図である。
【図６】別の実施の形態に係る便座ボックスの側面下部の縦断面図である。
【図７】更に別の実施の形態に係る便座ボックスの側面下部の縦断面図である。
【符号の説明】
１  便座ボックス
２  洋風便器
５  本体取付ボルト
１６  脱臭カートリッジ
１７  排気口
２１  脱臭ファン
２２  凹部
２４  芳香剤カートリッジ
２５  凹部
２６  乾電池
２８，２９  電極
【図１】
0003582402.tif 000002
【図２】
0003582402.tif 000003
【図３】
0003582402.tif 000004
【図４】
0003582402.tif 000005
【図５】
0003582402.tif 000006
【図６】
0003582402.tif 000007
【図７】
0003582402.tif 000008